(57)【要約】【課題】雨傘に被せるだけで、身体を側方からの雨水に対して遮蔽し、身体が雨水で濡れるのを防止する雨傘防水カバーを提供すること。【解決手段】雨傘３を上面から被覆可能なカバー体１と、リング枠２とを備え、カバー体１は、上面が閉鎖した筒状に形成され、カバー体１の頂部に、雨傘３の石突を抜挿可能な中空状の嵌合部１１を設け、カバー体１の側面を下縁から上に向け切断して開口１２を形成し、カバー体１の内面に複数のリング枠通し片１５を周方向に沿って、互いに間隔をあけて配設し、リング枠２は、弾性素材より成り、カバー体１の直径と等しい外径を有し、リング枠通し片１５に挿通されてカバー体１を筒形状に保持する。【選択図】図３
0003169395.tif 000002
【実用新案登録請求の範囲】
【請求項１】
雨傘を上面から被覆可能なカバー体と、リング枠とを備え、前記カバー体は、上面が閉鎖した筒状に形成され、前記カバー体の頂部に、雨傘の石突を抜挿可能な中空状の嵌合部を設け、前記カバー体の側面を下縁から上に向け切断して開口を形成し、前記カバー体の内面には、複数個のリング枠通し片を周方向に沿って、且つ、互いに間隔をあけて配設し、前記リング枠は、弾性素材より成り、前記カバー体の直径と等しい外径を有し、前記カバー体のリング枠通し片に挿通されて、前記カバー体を筒形状に保持することを特徴とする、雨傘防水カバー。
【請求項２】
前記カバー体の開口の両側に、互いに着脱自在に係合する雄ファスナーと雌ファスナーを設けたことを特徴とする、請求項１に記載の雨傘防水カバー。
【請求項３】
前記リング枠が１本の半径に沿って切断され、前記リング枠の両端に、たがいに着脱自在に係合する掛止ホックと掛合部をそれぞれ設けたことを特徴とする、請求項１に記載の雨傘防水カバー。
【考案の詳細な説明】
【技術分野】
【０００１】
本考案は、雨天に傘をさして外出する時に、雨傘に被せて身体が濡れるのを防止する雨傘防水カバーに関する。
【背景技術】
【０００２】
雨天に外出する時は、傘をさして雨を遮断するのが一般的であるが、雨傘だけでは頭部、肩等の雨傘に近い位置を遮蔽するのみであって、風雨の勢いが強いと身体が濡れてしまい、特に下半身は雨から遮蔽するのが困難であった。
【考案の概要】
【考案が解決しようとする課題】
【０００３】
本考案が解決しようとする課題は、雨傘に被せるだけで、身体を側方からの雨水に対して遮蔽し、身体が雨水で濡れるのを防止する雨傘防水カバーを提供することにある。
【課題を解決するための手段】
【０００４】
本考案の雨傘防止カバーは、雨傘を上面から被覆可能なカバー体と、リング枠とを備え、前記カバー体は、上面が閉鎖した筒状に形成され、前記カバー体の頂部に、雨傘の石突を抜挿可能な中空状の嵌合部を設け、前記カバー体の側面を下縁から上に向け切断して開口を形成し、前記カバー体の内面には、複数個のリング枠通し片を周方向に沿って、且つ、互いに間隔をあけて配設し、前記リング枠は、弾性素材より成り、前記カバー体の直径と等しい外径を有し、前記カバー体のリング枠通し片に挿通されて、前記カバー体を筒形状に保持する。
【０００５】
前記カバー体の開口の両側に、互いに着脱自在に係合する雄ファスナーと雌ファスナーを設けてもよい。
また、前記リング枠が１本の半径に沿って切断され、前記リング枠の両端に、たがいに着脱自在に係合する掛止ホックと掛合部をそれぞれ設けてもよい。
【考案の効果】
【０００６】
請求項１に係る考案によれば、雨天に傘をさして外出する時に、カバー体を雨傘に取り付け、リング枠によってカバー体を筒形状に保持することにより、身体を側方からの雨水に対して遮蔽し、身体が雨水に濡れるのを防止できる。
また、嵌合部に雨傘の石突を挿入すると、カバー体が位置決めされて、脱落や移動を起こす心配がない。
請求項２に係る考案によれば、雄ファスナーと雌ファスナーを係合して開口を閉じると、カバー体内に雨水が浸入し難く、腕をカバー体の外に出したいときは、雄ファスナーと雌ファスナーの係合を外して簡単に開口を開くこともできる。
請求項３に係る考案によれば、リング枠をカバー体から取り外し、掛止ホックと掛合部を係合して捩じることにより、複数重なった小径のリング状に畳むことができるので、収納や携帯に便利である。
【図面の簡単な説明】
【０００７】
【図１】本考案の実施例を示す雨傘防止カバーの斜視図である。
【図２Ａ】本考案の実施例に係るリング枠の斜視図である。
【図２Ｂ】本考案の実施例に係るリング枠の折りたたみ収納時の斜視図である。
【図３】本考案の実施例を示す雨傘防止カバーの使用状態における斜視図である。
【図４】本考案の実施例を示す雨傘防止カバーの収納時における斜視図である。
【考案を実施するための形態】
【０００８】
以下、本考案の実施例を図面に基づいて詳細に説明する。
図１に示すように、本考案の雨傘防水カバーは、雨傘を上面から被覆可能なカバー体１と、カバー体１の内面に着脱可能に装着されるリング枠２とを備える。
カバー体１は、上面が閉鎖した適宜長さの筒状に形成され、カバー体１の頂部には、カバー体１の内部と連通した中空状の嵌合部１１を設けてある。
また、カバー体１の側面には、下縁から上方にむけて適当長さに切断した開口１２を形成し、開口１２の両側には、それぞれ対応する雄ファスナー１３と雌ファスナー１４を設けてある。
さらに、カバー体１の内面において、高さ方向の中間部には、複数のリング枠通し片１５を周方向に沿って、且つ、互いに間隔をあけて配設してある。
【０００９】
リング枠２は、弾性を有する素材より成り、カバー体１の直径とほぼ等しい外径を有する。
図２Ａに示すように、リング枠２は、１本の半径に沿って切断され、カバー体１のリング枠通し片１５に着脱自在に挿通できるようになっている。また、リング枠２の両端には、互いに着脱可能に係合する掛止ホック２１と掛合部２２とを設けてある。
そして、リング枠２は、図１に示すように、カバー体１のリング枠通し片１５に挿通することによって、カバー体１の内面に装着される。
一方、リング枠２をカバー体１から取り外し、掛止ホック２１と掛合部２２を係合してから捩じり、図２Ｂに示すように、交差して複数重なった小径のリング状に畳むことができる。
【００１０】
雨天に傘をさして外出する際には、図３に示すように、雨傘３を広げた後、カバー体１を雨傘３の上面から被せ、雨傘３の石突を嵌合部１１に挿入して位置決めすると共に、カバー体１の側面を上から下に垂らす。雨傘３の石突を嵌合部１１に挿入したことにより、カバー体１の滑落及び移動が防止される。
また、リング枠２をカバー体１のリング枠通し片１５に挿通し、カバー体１をリング枠２によって筒形状に保持する。
すると、リング枠２によって保持されているカバー体１の内部空間に入ったままで雨傘３をさすことができ、身体が側方からの雨水に対して遮蔽され、身体が雨水で濡れるのを防止できる。
【００１１】
通常の歩行時等には、雄ファスナー１３と雌ファスナー１４とを係合してカバー体１の開口１２を閉鎖し、雨水がカバー体１の内部に侵入しないようにする。そして、カバー体１の外に手を伸ばす必要がある時（例えば、買物または物を出す時など）には、雄ファスナー１３と雌ファスナー１４を分離し、左・右方向へ向けて開口１２を開放する。
雨傘防水カバーを使用しない時は、図４に示すように、リング枠２を抜いてカバー体１を折り畳む。リング枠２は、その両端の掛止ホック２１と掛合部２２を係合し、更に小径の複数重なったリング状に畳み、折り畳んだカバー体１と共に手提袋４に収納し、身に付けて携帯することができる。
【００１２】
以上の説明は、本考案の好ましい実施例に関するものであって、本考案の要旨を変更しない多少の修飾・変更を行なっても、本考案の権利範囲に含まれる。
【符号の説明】
【００１３】
１    カバー体  
２    リング枠
３    雨傘
４    手提袋
１１  嵌合部
１２  開口
１３  雄ファスナー
１４  雌ファスナー
１５  リング枠通し片
２１  掛止ホック
２２  掛合部  
【図１】
0003169395.tif 000003
【図２Ａ】
0003169395.tif 000004
【図２Ｂ】
0003169395.tif 000005
【図３】
0003169395.tif 000006
【図４】
0003169395.tif 000007